【事件の表示】
　特願２０００−２５７９２６「画像処理検査装置及び画像処理検査方法」拒絶査定不服審判事件〔平成１４年　３月１５日出願公開、特開２００２−　７４３３６、請求項の数（４）〕について、次のとおり審決する。
【結　論】
　原査定を取り消す。
　本願の発明は、特許すべきものとする。
【理　由】
１．本願発明
　本願の請求項に係る発明は、平成２０年７月１７日付け手続補正書により補正された明細書の特許請求の請求項１〜４に記載された次のとおりのものである。
　
　【請求項１】　カメラから取り込んだ対象物の画像データに基づき、対象物の位置・形状等の各種の測定又は検査を実施する画像処理検査装置において、
　カメラと、カメラにより取り込まれた１画面分の画像データを記憶する４個以上の画像データメモリと、カメラ及び画像データメモリを制御して前記測定又は検査を行う処理部とを備え、
　処理部は、１画面分の画像データをカメラに取り込ませて画像データを１つの画像データメモリに記憶させる画像取込処理を実行し、画像取込処理終了後、前記１つの画像データメモリに記憶された画像データに基づいて前記測定又は検査を行う測定検査処理を実行するとともに、測定検査処理の実行中、他の画像データメモリのうち、画像取込処理による新たな画像データが記憶される空き画像データメモリとして設定されている画像データメモリを検出し、この空き画像データメモリを使用して連続的に次の画像取込処理を実行して、前記測定検査処理終了後、前記１つの画像データメモリを空き画像データメモリとして設定し、画像取込処理と測定検査処理とを並行して順次繰返し行い、画像データが記憶された画像データメモリを、前記画像データの測定検査処理の結果に応じて、又は外部からの保存信号の入力に応じて、新たな画像データの上書きが禁止された画像データメモリとして設定することを特徴とする画像処理検査装置。
　　
　【請求項２】　処理部は、外部から取込信号が入力されたとき、取込信号の入力をトリガーとして、画像取込処理を開始することを特徴とする請求項１記載の画像処理検査装置。
　
　【請求項３】　カメラから取り込んだ対象物の画像データに基づき、対象物の位置・形状等の各種の測定又は検査を実施する画像処理検査方法において、カメラと、カメラにより取り込まれた１画面分の画像データを記憶する４個以上の画像データメモリとを用い、１画面分の画像データをカメラに取り込ませて画像データを１つの画像データメモリに記憶させる画像取込処理を実行し、画像取込処理終了後、前記１つの画像データメモリに記憶された画像データに基づいて前記測定又は検査を行う測定検査処理を実行するとともに、測定検査処理の実行中、他の画像データメモリのうち、画像取込処理による新たな画像データが記憶される空き画像データメモリとして設定されている画像データメモリを検出し、この空き画像データメモリを使用して連続的に次の画像取込処理を実行して、前記測定検査処理終了後、前記１つの画像データメモリを空き画像データメモリとして設定し、画像取込処理と測定検査処理とを並行して順次繰返し行い、画像データが記憶された画像データメモリを、前記画像データの測定検査処理の結果に応じて、又は外部からの保存信号の入力に応じて、新たな画像データの上書きが禁止された画像データメモリとして設定することを特徴とする画像処理検査方法。
　
　【請求項４】　取込信号の出力に応じて、画像取込処理を開始することを特徴とする請求項３記載の画像処理検査方法。
　
２．引用刊行物に記載された発明
　
（１）原審において引用された特開平１１−０２３２４０号公報には、次の発明が記載されている。
　
　各部品３７等の画像データをそれぞれ記憶する画像メモリ１５１等を備え、かつ画像データの画像認識処理に優先順位を設け、記憶している複数の部品のそれぞれの画像データを上記優先順位に従い画像認識処理を実行するように構成することにより、部品の画像入力処理及び画像認識処理を効率良く実行でき、画像認識処理に要する全体の時間を短縮することができる部品認識方法であって、撮像により得られた複数の被検査物（３７，３８，３９）における複数の画像データを順次、画像記憶装置（１５１，１５２，１５３）に記憶するとともに、既に記憶された画像データについて、上記画像記憶装置に対する画像データの記憶動作が終了するまで、優先順位に従い上記被検査物の認識処理を実行することを特徴とする部品認識方法。
　
　これは、ある被検査物の認識処理の途中において優先順位の高い処理の割り込みがあった際に、認識処理中の処理を中断し、優先した処理の終了後に中断した認識処理を継続するものであるから、中断中の処理にかかる画像と、割り込み処理にかかる画像が別個のメモリに記憶されて用いられることを意味する。
　
（２）また、特開平０２−２９７２３２号公報には、次の発明が記載されている。
　
　２次元座標系によって定義されたメモリ空間を一定の大きさのブロックに分割するとともに、各ブロック１対１に対応した、各ブロックの使用状況を示すフラグを記憶するための２次元の管理テーブルを設け、前記管理テーブル上においてブロックを単位として前記メモリ空間に対するメモリ領域の割り付けを管理することを特徴とするメモリ管理方法。
　
（３）特開平１１−０７３５１１号公報には、次の発明が記載されている。
　
　対象物を撮像する撮像手段と、
　撮像手段で撮像した画像に含まれる特徴量を求める計測処理手段とを備え、
　求めた特徴量を対象物の良否を判定する判定閾値と比較することにより当該画像を保存する要否を判断する保存条件を判断し、
　前記保存条件を満たす画像を画像メモリに記憶する画像処理装置。
　
（４）特開平０４−３２４７７４号公報には、次の発明が記載されている。
　
　所定枚数の画像を記憶自在な画像メモリと、当該画像メモリの書き込みアドレスを発生する書き込みアドレス発生手段と、当該書き込みアドレス発生手段を制御し、当該画像メモリの指定領域の書き込みアドレスの発生を禁止する制御手段とからなることを特徴とする画像記憶装置。
　
３．対比・判断
　
　本願発明は次の点を発明を特定する構成要件とするものである。
　
　「画像データが記憶された画像データメモリを、前記画像データの測定検査処理の結果に応じて、又は外部からの保存信号の入力に応じて、新たな画像データの上書きが禁止された画像データメモリとして設定する」こと。
　
　しかしながら、原審で引用した何れの刊行物にも、当該構成は記載も示唆もされていない。
　
　これら刊行物の内、特開平１１−０７３５１１号公報には、対象物の良否を判定する判定閾値と比較することにより当該画像を保存する要否を判断する保存条件を判断し、保存条件を満たす画像を画像メモリに記憶する発明が記載されているが、この発明は、条件を満たしている画像を保存対象の画像として記憶しておくことで本願発明と類似するものの、“あらためて”記憶するものである。
　該刊行物の記載（段落００４２〜段落００４４）では、画像は最初にメモリ１８に記憶されており、保存対象が記憶されるのもメモリ１８であって、同番号が付されているが、この記載をもって、メモリ１８に記憶されている画像にプロテクトをかけるということにはならない。これは、メモリ１８内の異なる領域に記憶することと解される。
　
　本願発明は、画像自体をあらためて記憶するものではなく、検査対象としてマルチバッファに既に記憶されている画像データをプロテクトし保存するものであり、当該刊行物に記載されている発明とは相違する。　
　
　また、当該刊行物に記載の発明において、そもそも計測対象画像が記憶されている記憶領域は検査のためのバッファであるから、そのようなバッファを保存に用いるという技術思想は通常想起しないことである。　　
　　
　したがって、本願補正は、引用刊行物に記載された発明に基づいて当業者が容易に発明をすることができたとすることはできないから、原査定を維持することはできない。
　
　また、他に本願を拒絶すべき理由を発見しない。　
　よって、結論のとおり審決する。